(57)【要約】【課題】  印刷品質を向上させるようにした中間転写型熱転写印刷装置を提供する。【解決手段】  この中間転写型熱転写印刷装置では、フィルムＦの搬送時において、フィルムＦはガイドピン３３〜３７に密着するように搬送されるので、フィルムＦがガイドピン３３〜３７に一時的に貼り付いて、フィルムＦがガイドピン３３〜３７上を滑りにくくなるのを防止する必要がある。そこで、本発明では、ガイドピン３３〜３７の表面に凹凸部７０を形成し、凸部上をフィルムが滑ることで、ガイドピン３３〜３７に対するフィルムＦの接触面積を低減させている。これによって、フィルムＦの貼り付きや搬送負荷が軽減され、フィルムＦが位置ズレを起こしにくくなり、その結果、印刷ズレが発生し難くなる。【選択図】  図４
2006187960.tif 000002
【特許請求の範囲】
【請求項１】
サーマルヘッドとプラテンローラとの協働により、インクリボン上の配色に基づいてフィルムに画像が熱転写され、このフィルムを、ヒートローラで加熱させながら記録媒体に押圧することによって、前記記録媒体の表面にフィルム上の画像を再転写する中間転写型熱転写印刷装置において、
前記フィルムの一端が固定されて前記フィルムの繰り出しを行う供給側ボビンと、
前記フィルムの他端が固定されて前記フィルムの巻き取りを行う巻取り側ボビンと、
前記供給側ボビンと前記巻取り側ボビンとの間で張られた前記フィルムが押し当てられると共に、前記フィルムの搬送経路を変更するように前記フィルムを支持するガイドピンとを備え、
前記ガイドピンの表面には凹凸部が形成されていることを特徴とする中間転写型熱転写印刷装置。
【請求項２】
前記凹凸部として、前記ガイドピンの表面には、その周方向に形成された複数本のスリット状溝部が少なくとも前記フィルムの幅にわたって並設されていることを特徴とする請求項１記載の中間転写型熱転写印刷装置。
【発明の詳細な説明】
【技術分野】
【０００１】
本発明は、印刷画像をフィルム上に一旦転写した後、フィルム上の画像を記録媒体の表面に転写するための中間転写型熱転写印刷装置に関するものである。
【背景技術】
【０００２】
従来、このような分野の技術として、特開２０００−１８７７１２号公報がある。この公報に記載されたカード記録装置は、磁気ストライプ付きのカード、ＩＣカードなどの表面に所望の画像を印刷するための装置である。すなわち、このカード記録装置は、フィルム及びカラーインクリボンをサーマルヘッドとプラテンローラとで挟み込んで、カラーインクリボンによってフィルム上に画像を一旦熱転写（一次転写）し、その後、フィルム上の画像とカードの表面とを重ね合わせながら、ヒートローラでフィルムを加熱させている。このとき、フィルムをカードに押圧することによって、カードの表面にフィルム上の画像が再転写（二次転写）される。また、フィルムカセットが利用される場合、フィルムの繰り出しを行う供給側ボビンとフィルムの巻き取りを行う巻取り側ボビンとの間でフィルムが張り渡され、複数のガイドピンによって、フィルムカセット内でフィルムの搬送経路を変更している。
【０００３】
【特許文献１】特開２０００−１８７７１２号公報
【特許文献２】特開平５−１６９６９２号公報
【特許文献３】特開平５−２６１９５２号公報
【発明の開示】
【発明が解決しようとする課題】
【０００４】
このような装置に適用するフィルムは非常に薄く形成され、フィルムの材質にもよるが、高いテンションをもってフィルムがガイドピンに接触し続けると、フィルムとガイドピンとの密着性が高くなり、フィルムはガイドピン上を滑り難くなる。このような現象によって、フィルムが位置ズレを起こし、その結果引き起こされる印刷ズレの発生は印刷品質に多大な影響を与えることになる。
【０００５】
本発明は、特に、印刷品質を向上させるようにした中間転写型熱転写印刷装置を提供することを目的とする。
【課題を解決するための手段】
【０００６】
本発明に係る中間転写型熱転写印刷装置は、サーマルヘッドとプラテンローラとの協働により、インクリボン上の配色に基づいてフィルムに画像が熱転写され、このフィルムを、ヒートローラで加熱させながら記録媒体に押圧することによって、記録媒体の表面にフィルム上の画像を再転写する中間転写型熱転写印刷装置において、フィルムの一端が固定されてフィルムの繰り出しを行う供給側ボビンと、フィルムの他端が固定されてフィルムの巻き取りを行う巻取り側ボビンと、供給側ボビンと巻取り側ボビンとの間で張られたフィルムが押し当てられると共に、フィルムの搬送経路を変更するようにフィルムを支持するガイドピンとを備え、ガイドピンの表面には凹凸部が形成されていることを特徴とする。
【０００７】
この中間転写型熱転写印刷装置は、サーマルヘッドとプラテンローラとの協働による一次転写と、ヒートローラによる二次転写とを行うタイプの印刷装置であり、フィルム及びインクリボンを搬送させながら一次転写が実施され、フィルムを搬送させながら二次転写が実施される。そして、フィルムの搬送時において、フィルムはガイドピンに密着するように搬送されるので、フィルムがガイドピンに一時的に貼り付いて、フィルムがガイドピン上を滑りにくくなるのを防止する必要がある。そこで、本発明では、ガイドピンの表面に凹凸部を形成し、凸部上をフィルムが滑ることで、ガイドピンに対するフィルムの接触面積を低減させている。これによって、フィルムの貼り付きや搬送負荷が軽減され、フィルムが位置ズレを起こしにくくなり、その結果、印刷ズレが発生し難くなる。
【０００８】
また、凹凸部として、ガイドピンの表面には、その周方向に形成された複数本のスリット状溝部が少なくともフィルムの幅にわたって並設されていると好適である。このような構成を採用すると、フィルムの搬送方向に沿うように凸部及び凹部が延在することになるので、ガイドピン上において、フィルムを搬送方向に滑らかに摺動させることができ、フィルムの横滑りを低減させることができる。
【発明の効果】
【０００９】
本発明によれば、印刷品質を向上させることができる。
【発明を実施するための最良の形態】
【００１０】
以下、図面を参照しつつ本発明に係る中間転写型熱転写印刷装置の好適な実施形態について詳細に説明する。
【００１１】
図１に示すように、中間転写型熱転写印刷装置１は、カードプリンタとも呼ばれ、印刷画像を厚さ約２０μｍ程度の透明なフィルムＦに一旦転写した後、このフィルムＦから記録媒体（例えばプラスチック製のキャッシュカード、クレジットカード、プリペードカード、ＩＣカードなど）Ｓに再転写する装置である。このような熱転写印刷装置１は、カードＳを発行する際に利用され、高品位な画像をカードＳの表面に印刷することできる。従って、セキュリティを高める目的で顔写真の入ったカードＳの発行をも可能にする。
【００１２】
このような中間転写型熱転写印刷装置１は、印刷予定のプラスチック製カードＳを積層状態でセッティングするためのストック部２を有する。カードＳは、送出し爪３の進退運動によってストック部２の一番下から一枚ずつ繰り出され、ストック部２から繰り出されたカードＳは、反転部４内に一旦装填される。反転部４が水平状態から９０度回転した後、送りローラ６によってカードＳが上昇すると、カードＳは磁気読み／書き部７内に送り込まれる。そして、この磁気読み／書き部７で、カードＳの磁気ストライプ内に所定の情報を書き込んだり、磁気ストライプ内の所定の情報を読み取る。
【００１３】
これに対して、送りローラ６によってカードＳが下降すると、カードＳは、非接触ＩＣ読み／書き部８内に送り込まれる。そして、この非接触ＩＣ読み／書き部８で、カードＳのＩＣ内に所定の情報を書き込んだり、ＩＣ内の所定の情報を読み取る。その後、反転部４から送り出されたカードＳは、着脱自在なクリーニングローラ１０を通過した後、ガイド溝１２で両側を支持されながら、搬送ローラ１１によりカードＳは画像印刷される直前まで移動する。
【００１４】
なお、磁気検出や非接触ＩＣ検出が必要ない場合には、反転部４は水平に維持される。また、磁気読み／書き部７又は非接触ＩＣ読み／書き部８で不適切と判断されたカードＳは、反転部４の回転後、送りローラ６によってイジェクトボックス９内に排出される。
【００１５】
次に、カードＳへの画像転写を可能にするために、この熱転写印刷装置１は、フィルムＦに画像を熱転写する記録部（一次転写部）Ａと、フィルムＦに転写された画像とカードＳとを対向させて、カードＳに画像を熱転写する再転写部（二次転写部）Ｂと、画像転写後のカードＳの反りを矯正する反り矯正部Ｃとを備えている。
【００１６】
さらに、この熱転写印刷装置１は、抜き差しにより交換可能なフィルムカートリッジ１３とリボンカートリッジ１４とを有している。このフィルムカートリッジ１３では、フィルムＦが上下一対のボビン１５，１６に巻かれ、リボンカートリッジ１４では、カラーインクリボンＲが上下一対のボビン１７，１８に巻かれている。そして、リボンカートリッジ１４内のカラーインクリボンＲには、溶融性又は昇華性のイエロー・マゼンタ・シアンの３色（またはブラックを加えた４色）のインクを１フレームとして周期的にインクが塗布されている。
【００１７】
ここで、前述した記録部Ａでは、水平方向に進退可能なフィルム引出しローラ１９ａ，１９ｂとプラテンローラ(通称「プラテン」)２０の協働により、プラテンローラ２０の略半周面にフィルムＦが押し当てられるように巻き付けられ、サーマルヘッド２１によって、プラテンローラ２０上のフィルムＦにカラーインクリボンＲが押し当てられる。そして、フィルムＦとカラーインクリボンＲとを同期させながら下方に送ることで、加熱状態のサーマルヘッド２１によって、カラーインクリボンＲの第１色目（シアン）がフィルムＦ上に熱転写される。
【００１８】
次に、ラック・ピニオン駆動機構２２によってサーマルヘッド２１を後退させて、フィルムＦとカラーインクリボンＲとを離間させた状態で、プラテンローラ２０を逆転させながらフィルムＦを上昇させて元の位置に復帰させる。その後、前述の転写動作を繰り返しながら、フィルムＦ上にマゼンタ、イエロー、ブラックの順に色を重層させて、所望のカラー画像をフィルムＦ上に作り出す。
【００１９】
その後、巻取り側ボビン１６等の回転によってフィルムＦ上の記録画像をヒートローラ２３の手前まで移動させる。このとき、カードＳの先端は、フィルムＦ上の記録画像の先端と位置合わせされ、カードＳとフィルムＦとは、重ね合わされた状態で再転写部Ｂに送り込まれる。
【００２０】
この再転写部Ｂにおいて、位置合わせされたカードＳとフィルムＦとは、重ね合わされた状態でヒートローラ２３と押圧ローラ２４とで挟み込まれ、１６０〜２００°Ｃに加熱されたヒートローラ２３と押圧ローラ２４との協働により、カードＳとフィルムＦとを加圧搬送させながら、フィルムＦ上の記録画像をカードＳの表面に徐々に転写させる。このとき、フィルムＦは、カードＳから剥離しながらボビン１６に巻き取られていく。また、ヒートローラ２３によって加熱されたカードＳには反りが発生するので、カードＳは、反り矯正部Ｃに送り込まれて加圧処理された後、真っ直ぐな状態で装置１外に排出される。
【００２１】
このような熱転写印刷装置１には、抜き差し可能なフィルムカートリッジ１３とリボンカートリッジ１４とが利用され、フィルムＦやカラーインクリボンＲの交換を可能にしている。図２及び図３に示すように、フィルムカートリッジ１３の上側には、フィルムＦの一端が固定された円筒状の供給側ボビン１５が配置され、下側にはフィルムＦの他端が固定された円筒状の巻取り側ボビン１６が配置されている。そして、樹脂製の供給側ボビン１５及び巻取り側ボビン１６は交換可能であり、フィルム交換時において、供給側ボビン１５と巻取り側ボビン１６とは、フィルムカートリッジ１３内で互いに平行に装着される。
【００２２】
さらに、鉛直に配置されたベース板３０の上部には、フィルムカートリッジ１３の上側でフィルムＦを水平に張り渡すための左右一対の上流側ガイドピン３３，３４の一端が固定され、ベース板３０の下部には、フィルムカートリッジ１３の下側でフィルムＦを水平に張り渡すための左右一対の下流側ガイドピン３５，３６の一端が固定されている。さらに、上方のガイドピン３４と下方のガイドピン３６との間において、ベース板３０には、フィルムＦを鉛直に張り渡すためのガイドピン３７の一端が固定されている。水平に延在するガイドピン３３〜３７をこのような配置関係にすることで、フィルムＦ上において、鉛直方向に張り渡された所望の位置に、記録部（一次転写部）Ａを配置させることができ、記録部Ａの下流で水平方向に張り渡された所望の位置に、再転写部（二次転写部）Ｂ（図１参照）を配置させることができる。
【００２３】
さらに、供給側ボビン１５及び巻取り側ボビン１６を適切に回転させるために、ベース板３０には固定シャフト４０，４２が立設され、固定シャフト４０，４２の先端には、フランジ部４３ａ，４４ａを有する円柱状のコア部４３，４４が回転自在に取り付けられている。そして、各コア部４３，４４は、供給側ボビン１５に設けられた貫通孔６２の一端側及び巻取り側ボビン１６に設けられた貫通孔６３の一端側から挿入されることにより、各ボビン１５，１６の一端側が回転自在に保持される。
【００２４】
これに対し、様々な駆動機構が設けられている装置本体４１の筐体４５から駆動側シャフト４８，４９が突出し、各駆動側シャフト４８，４９はベアリング４６，４７を介して筐体４５に回転自在に取り付けられ、各駆動側シャフト４８，４９の先端には、フランジ部５０ａ，５１ａを有するコア部５０，５１が固定されている。そして、各コア部５０，５１は、供給側ボビン１５の貫通孔６２の他端側及び巻取り側ボビン１６の貫通孔６３の他端側から挿入されることにより、各ボビン１５，１６に回転力を付与することができる。なお、そして、駆動側シャフト４８，４９には、モータに連結するためのギア部６７，６８が設けられている。
【００２５】
さらに、駆動側のコア部５０，５１の外周面には、軸線方向に延在するキー部６０，６１が一体的に形成され、ボビン１５，１６に設けられた貫通孔６２，６３には、各キー部６０，６１が嵌り込むスプライン溝６２ａ，６３ａが形成されている。従って、コア部５０，５１がボビン１５，１６内に差し込まれると、それと同時にスプライン溝６２ａ，６３ａにキー部６０，６１が嵌め込まれるので、ボビン１５，１６のワンタッチ装着が可能になる。なお、追従側のコア部４３，４４にもキー部６４，６５が一体的に形成されている。
【００２６】
また、コア部５０，５１とベース板３０との間に螺旋バネ５２，５３を配置させることで、フィルムカートリッジ１３を熱転写印刷装置１内に装着する際に、ボビン１５，１６を、コア部５０，５１のフランジ部５０ａ，５１ａに確実に押し当てることができる。これによって、各ボビン１５，１６のスラスト方向の位置決めが達成される。
【００２７】
このような装置１に利用されるフィルムＦは、厚さ約２０μｍ程度の透明なフィルムＦであり、フィルムＦの材質にもよるが、フィルムＦが高いテンションをもってガイドピン３３〜３７に接触し続けると、フィルムＦとガイドピン３３〜３７との密着性が高くなり、フィルムＦがガイドピン３３〜３７に一時的に貼り付いて、フィルムＦがガイドピン３３〜３７上を滑りにくくなる場合がある。このような現象によって、フィルムＦが位置ズレを起こし、その結果引き起こされる印刷ズレの発生は印刷品質に影響を与えることになる。特に、この装置１は、一次転写と二次転写とを行うタイプであり、フィルムＦ上にマゼンタ、イエロー、ブラックの順に色を重層させて、所望のカラー画像をフィルムＦ上に作り出しているので、フィルムＦが往復動作を行う際の位置ズレは印刷品質に多大な影響を与えることになる。
【００２８】
そこで、図４に示すように、ガイドピン３３〜３７の表面には、梨地状の凹凸部７０が形成されている。この凹凸部７０はテフロン（登録商標）加工されたテープ７１の表面に形成され、このテープ７１は、フィルムＦの幅以上の長さを有し、テープ７１の裏面はガイドピン本体３３ａ〜３７ａの表面に貼り付けられる。このようなテープ７１を利用すると、ガイドピン３３〜３７の表面にエッチング処理などの特殊な表面加工を施す必要がなく、全てのガイドピン３３〜３７の表面に梨地状の凹凸部７０を容易に形成することができる。
【００２９】
このように、ガイドピン３３〜３７の表面に凹凸部７０を形成し、この凸部上をフィルムＦが滑ることで、ガイドピン３３〜３７に対するフィルムＦの接触面積を低減させる。これによって、フィルムＦの貼り付きや搬送負荷が軽減され、フィルムＦが位置ズレを起こしにくくなるので、印刷ズレが発生し難くなり、印刷品質の向上が図られる。なお、フィルムカートリッジ１３において、全てのガイドピン３３〜３７に前述の凹凸部７０を適用しない場合、少なくとも下流側のガイドピン３５，３６に前述の凹凸部７０を適用することが好ましい。
【００３０】
本発明は、前述した実施形態に限定されるものではない。例えば、図５及び図６に示すようなガイドピン７９を装置１に適用してもよい。このガイドピン７９の表面には、その周方向において、複数本のスリット状溝部８２が少なくともフィルムＦの幅にわたって並設され、これによって、ガイドピン７９の表面に凹凸部８０が形成されることになる。そして、このガイドピン７９は、フィルムＦの搬送方向に沿うように凸部８３及び凹部（溝部）８２が延在することになるので、ガイドピン７９上で、フィルムＦを搬送方向に滑らかに摺動させることができ、フィルムＦの蛇行（横滑り）を低減させている。
【００３１】
また、図示しないが、ガイドピンの表面に多数のディンプルを形成したものであってもよい。また、軸線方向に延在するスリット状溝部をガイドピンの表面に形成したものであってもよい。また、メッシュ状の溝部をガイドピンの表面に形成したものであってもよい。
【図面の簡単な説明】
【００３２】
【図１】本発明に係る中間転写型熱転写印刷装置の一実施形態を示す正面図である。
【図２】図１の熱転写印刷装置に適用するフィルムカートリッジを示す断面図である。
【図３】フィルムカートリッジを示す正面図である。
【図４】ガイドピンの一例を示す斜視図である。
【図５】ガイドピンの他の例を示す斜視図である。
【図６】図５に示したガイドピンの要部拡大断面図である。
【符号の説明】
【００３３】
１…中間転写型熱転写印刷装置、１５…供給側ボビン、１６…巻取り側ボビン、２０…プラテンローラ、２１…サーマルヘッド、２３…ヒートローラ、３３〜３７，７９…ガイドピン、７０，８０…凹凸部、８２…スリット状溝部、Ｓ…カード（記録媒体）、Ｆ…フィルム、Ｒ…インクリボン。
【図１】
2006187960.tif 000003
【図２】
2006187960.tif 000004
【図３】
2006187960.tif 000005
【図４】
2006187960.tif 000006
【図５】
2006187960.tif 000007
【図６】
2006187960.tif 000008